(57)【特許請求の範囲】
【請求項１】
表示面に画像を表示する画像表示部と、
前記表示面に対して予め定められた領域に位置する複数の人物の前記表示面の面方向の移動速度及び移動方向を検知する移動検知部と、
前記移動速度が速度閾値以下の低速状態の場合と、前記移動速度が前記速度閾値以上の高速状態の場合とで異なる態様で前記画像表示部に画像を表示させる制御部と
を備え、
前記制御部は、前記複数の人物それぞれに対応する前記画像を、当該人物の移動方向に移動させつつ前記画像表示部に表示させ、前記低速状態の人物に対する画像の表示領域と、前記高速状態の人物に対する画像の表示領域とが重なった場合、前記高速状態の人物に対する画像を前記表示面の上方に表示させる表示装置。
【請求項２】
表示面に画像を表示する画像表示部と、
前記表示面に対して予め定められた領域に位置する複数の人物の前記表示面の面方向の移動速度及び移動方向を検知する移動検知部と、
前記移動速度が速度閾値以下の低速状態の場合と、前記移動速度が前記速度閾値以上の高速状態の場合とで異なる態様で前記画像表示部に画像を表示させる制御部と
を備え、
前記制御部は、前記複数の人物それぞれに対応する前記画像を、当該人物の移動方向に移動させつつ前記画像表示部に表示させ、前記低速状態の人物に対する画像の表示領域と、前記高速状態の人物に対する画像の表示領域とが重なった場合、前記高速状態の人物に対する画像を前記低速状態の人物に対する画像の上に重ねて表示させる表示装置。
【請求項３】
前記制御部は、前記低速状態の場合の前記表示面における前記人物に対する画像の位置に比べて、前記高速状態の場合の前記表示面における前記人物に対する画像の位置を、前記移動方向の前方に偏らせて前記画像表示部に表示させる
請求項１または２に記載の表示装置。
【請求項４】
前記制御部は、前記低速状態の場合において、前記高速状態の場合に比べて、前記画像表示部に画像を大きく表示させる
請求項１から３のいずれか１項に記載の表示装置。
【請求項５】
前記制御部は、少なくとも前記低速状態における画像の内容の一部を、前記高速状態において表示する
請求項１から４のいずれか１項に記載の表示装置。
【請求項６】
前記移動検知部は、前記表示面の法線方向における前記人物と前記表示面との距離である法線距離を検出して、
前記制御部は、前記人物の前記法線距離に対応付けて、前記画像の表示を制御する
請求項１から５のいずれか１項に記載の表示装置。
【請求項７】
前記制御部は、前記人物の前記法線距離が距離閾値以下の場合、前記画像を表示する
請求項６に記載の表示装置。
【請求項８】
前記制御部は、前記移動速度が前記速度閾値よりも大きい高速度閾値以上の場合、前記高速状態よりも、前記画像を小さく表示するかまたは消去する
請求項１から７のいずれか１項に記載の表示装置。
【請求項９】
前記制御部は、前記高速状態が時間閾値以上継続した場合、前記高速状態よりも、前記画像を小さく表示するかまたは消去する
請求項１から８のいずれか１項に記載の表示装置。
【請求項１０】
前記制御部は、前記高速状態では、前記低速状態よりも、前記画像を前記表示面の上方に移動させる
請求項１から９のいずれか１項に記載の表示装置。
【請求項１１】
画像を表示する画像表示部の表示面に対して予め定められた領域に位置する複数の人物の前記表示面の面方向の移動速度及び移動方向を検知する移動検知段階と、
前記移動速度が速度閾値以下の低速状態の場合と、前記移動速度が前記速度閾値以上の高速状態の場合とで異なる態様で前記画像表示部に画像を表示させる制御段階と
を備え、
前記制御段階は、前記複数の人物それぞれに対応する前記画像を、当該人物の移動方向に移動させつつ前記画像表示部に表示させ、前記低速状態の人物に対する画像の表示領域と、前記高速状態の人物に対する画像の表示領域とが重なった場合、前記高速状態の人物に対する画像を前記表示面の上方に表示させる表示方法。
【請求項１２】
画像を表示する画像表示部の表示面に対して予め定められた領域に位置する複数の人物の前記表示面の面方向の移動速度及び移動方向を検知する移動検知段階と、
前記移動速度が速度閾値以下の低速状態の場合と、前記移動速度が前記速度閾値以上の高速状態の場合とで異なる態様で前記画像表示部に画像を表示させる制御段階と
を備え、
前記制御段階は、前記複数の人物それぞれに対応する前記画像を、当該人物の移動方向に移動させつつ前記画像表示部に表示させ、前記低速状態の人物に対する画像の表示領域と、前記高速状態の人物に対する画像の表示領域とが重なった場合、前記高速状態の人物に対する画像を前記低速状態の人物に対する画像の上に重ねて表示させる表示方法。
【請求項１３】
画像を表示する画像表示部の表示面に対して予め定められた領域に位置する複数の人物の前記表示面の面方向の移動速度及び移動方向を検知する移動検知機能と、
前記移動速度が速度閾値以下の低速状態の場合と、前記移動速度が前記速度閾値以上の高速状態の場合とで異なる態様で前記画像表示部に画像を表示させる制御機能と
をコンピュータに実行させ、
前記制御機能は、前記複数の人物それぞれに対応する前記画像を、当該人物の移動方向に移動させつつ前記画像表示部に表示させ、前記低速状態の人物に対する画像の表示領域と、前記高速状態の人物に対する画像の表示領域とが重なった場合、前記高速状態の人物に対する画像を前記表示面の上方に表示させる表示プログラム。
【発明の詳細な説明】
【技術分野】
【０００１】
本発明は、表示装置、表示方法及び表示プログラムに関する。
【背景技術】
【０００２】
人物の移動に追随して、表示面に表示されている広告等の画像を移動させる表示装置が
知られている（例えば、特許文献１参照）。
［特許文献１］  特開２００５−１１５２７０号公報
【発明の概要】
【発明が解決しようとする課題】
【０００３】
しかしながら、画像の表示が一定なので、当該人物から画像が見にくい場合があるといった課題がある。
【課題を解決するための手段】
【０００４】
本発明の第１の態様においては、表示面に画像を表示する画像表示部と、前記表示面に対して予め定められた領域に位置する人物の前記表示面の面方向の移動速度及び移動方向を検知する移動検知部と、前記移動速度が速度閾値以下の低速状態の場合と、前記移動速度が前記速度閾値以上の高速状態の場合とで異なる態様で前記画像表示部に画像を表示させる制御部とを備える表示装置を提供する。
【０００５】
本発明の第２の態様においては、画像を表示する画像表示部の表示面に対して予め定められた領域に位置する人物の前記表示面の面方向の移動速度及び移動方向を検知する移動検知部と、前記移動速度が速度閾値以下の低速状態の場合と、前記移動速度が前記速度閾値以上の高速状態の場合とで異なる態様で前記画像表示部に画像を表示させる制御段階とを備える表示方法を提供する。
【０００６】
本発明の第３の態様においては、画像を表示する画像表示部の表示面に対して予め定められた領域に位置する人物の前記表示面の面方向の移動速度及び移動方向を検知する移動検知機能と、前記移動速度が速度閾値以下の低速状態の場合と、前記移動速度が前記速度閾値以上の高速状態の場合とで異なる態様で前記画像表示部に画像を表示させる制御機能とをコンピュータに実行させる表示プログラムを提供する。
【０００７】
なお、上記の発明の概要は、本発明の必要な特徴の全てを列挙したものではない。また、これらの特徴群のサブコンビネーションもまた、発明となりうる。
【図面の簡単な説明】
【０００８】
【図１】表示装置１０の表示状態を説明する図である。
【図２】表示装置１０の全体構成を説明するブロック図である
【図３】ユーザテーブル２６を説明する図である。
【図４】表示装置１０による表示処理を説明するフローチャートである。
【図５】高速状態での画像表示である高速表示を説明する図である。
【図６】一部が変更された表示処理のフローチャートである。
【図７】遠方低速表示を説明する図である。
【図８】遠方高速表示を説明する図である。
【図９】一部が変更された表示処理のフローチャートである。
【図１０】一部が変更された表示処理のフローチャートである。
【図１１】一部が変更された表示処理のフローチャートである。
【図１２】複数の人物９０に対する画像の表示を説明する図である。
【図１３】低速優先表示を説明する図である。
【図１４】低速優先表示を説明する図である。
【図１５】低速表示の画像９２を見ている人物９０の指示を説明する図である。
【図１６】人物９０の指示により変更された画像９２の表示を説明する図である。
【図１７】人物９０の他の指示により変更された画像９２の表示を説明する図である。
【図１８】高速表示の異なる態様を示す図である。
【発明を実施するための形態】
【０００９】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１０】
図１は、表示装置１０の表示状態を説明する図である。図２は、表示装置１０及び携帯端末３０の機能を説明するブロック図である。図１に示すように、表示装置１０は、例えば、ショッピングセンター等に配置され、前方を通る人物９０へ向けて、商品等の画像９２を表示面２４に表示する。
【００１１】
表示装置１０は、撮像部１２と、移動検知部１４と、画像表示部１６と、通信部１８と、制御部２０と、記憶部２２とを備える。
【００１２】
撮像部１２は、画像表示部１６の表示面２４の表示側に位置する人物９０を含む被写体を撮像して、画像情報を出力する。画像表示部１６の表示面２４の表示側が、表示面２４に対して予め定められた領域の一例である。
【００１３】
移動検知部１４は、撮像部１２から取得した画像情報に基づいて、画像表示部１６の表示面２４の表示側に人物９０が存在するか否かを判定する。移動検知部１４は、人物９０が存在すると判定すると、当該画像情報から人物９０の移動方向及び移動速度を検知する。ここでいう移動速度は、表示面２４の面方向に平行な方向の速さの絶対値のことである。移動検知部１４は、時刻の異なる複数の画像情報が示す画像間の差分を算出して、その差分から人物の移動方向及び移動速度を検出する。移動検知部１４は、移動方向及び移動速度を含む人物情報を制御部２０へと出力する。
【００１４】
画像表示部１６は、制御部２０がメモリ等に格納した表示用の画像情報に基づいて、表示面２４に画像９２を表示する。当該表示用の画像情報は、後述するユーザ登録情報に関連付けてメモリ等に格納されている。尚、画像表示部１６は、液晶表示パネル、プラズマ表示パネル、プロジェクタ等を適用できる。
【００１５】
通信部１８は、人物９０の携帯端末３０と通信可能な複数の指向性の高いアンテナを有する。これにより、通信部１８は、表示面２４に対する携帯端末３０を有する人物９０の方向を検出する。
【００１６】
制御部２０は、移動検知部１４から取得した人物情報に含まれる移動速度と、記憶部２２に記憶された閾値テーブル２８に含まれる速度閾値とを比較する。例えば、速度閾値は、時速１ｋｍである。制御部２０は、移動速度が速度閾値未満と判定すると、当該人物９０が低速状態であると判定する。尚、速度閾値を時速０ｋｍとすれば人物が停止していることを低速状態と判断することになるが、人物が完全に停止していることはむしろまれであるので、速度閾値は時速０ｋｍより大きい値とすることが好ましい。制御部２０は、低速状態の人物に対して、画像９２を画像表示部１６の表示面２４に、後述する低速表示の態様にて表示する。一方、制御部２０は、移動速度が速度閾値以上と判定すると、当該人物が高速状態であると判定する。制御部２０は、高速状態の人物に対して、画像９２を画像表示部１６の表示面２４に、後述する高速表示の態様にて表示する。
【００１７】
記憶部２２は、速度閾値等の閾値を含む閾値テーブル２８、ユーザテーブル２６等の情報を記憶する。記憶部２２は、更に表示処理に必要な表示プログラムを記憶する。
【００１８】
人物９０は、表示装置１０の画像表示部１６の前方を通過するときに、例えば、携帯電話等の携帯端末３０を所持する。携帯端末３０は、通信部３２と、記憶部３４とを有する。通信部３２は、表示装置１０の通信部１８と、種々の情報を送受信する。通信部３２が送信する情報は、例えば、記憶部３４に記憶されたユーザＩＤである。ユーザＩＤは、携帯端末３０を特定できる番号等である。通信部３２はさらに、ユーザＩＤおよび当該ユーザＩＤに対応付けられたユーザ登録情報を含むユーザ情報３６を送信する。
【００１９】
図３は、ユーザテーブル２６を説明する図である。図３に示すように、ユーザテーブル２６は、ユーザＩＤと、ユーザ登録情報とが関連づけられたテーブルである。ユーザ登録情報は、例えば、買い物に行く場合、目的の商品の商品名、店舗名及び画像情報等を含む。当該ユーザ登録情報は、表示装置１０が配置されている店舗等のホームページを介して、表示装置１０の表示面２４の表示側に立つ以前に、人物９０により携帯端末３０を用いて表示装置１０のユーザテーブル２６に登録される。
【００２０】
人物９０が表示装置１０の表示面２４の表示側にいるときに、制御部２０は、通信部１８を介して、携帯端末３０からユーザＩＤを取得すると、ユーザテーブル２６から対応するユーザ登録情報を取得する。これにより、ユーザは、携帯端末３０にユーザ情報３６を記憶させることなく、ユーザＩＤのみによって、表示装置１０にて目的の商品等の情報を得ることができる。
【００２１】
図４は、表示装置１０による表示処理を説明するフローチャートである。図５は、高速状態での画像表示である高速表示を説明する図である。表示処理は、記憶部２２に記憶された表示プログラムを読み込むことによって実行される。
【００２２】
図４に示すように、表示処理が開始すると、移動検知部１４は、撮像部１２から取得した画像情報に基づいて、人物９０が表示面２４の表示側に存在するか否かを判定する（Ｓ１０）。移動検知部１４は、人物９０が存在すると判定すると（Ｓ１０：Ｙｅｓ）、検知した人物９０の移動方向及び移動速度を検出して、移動方向及び移動情報を含む人物情報を制御部２０へと出力する（Ｓ１２）。
【００２３】
次に、制御部２０は、取得した人物情報に含まれる移動速度が、記憶部２２の閾値テーブル２８に含まれる速度閾値未満か否かを判定する（Ｓ１４）。
【００２４】
制御部２０は、移動速度が速度閾値未満である低速状態と判定すると（Ｓ１４：Ｙｅｓ）、画像９２を、図１に示すように、低速表示する（Ｓ１６）。ここで、通信部１８が、人物９０のユーザＩＤ及びユーザ登録情報を含むユーザ情報３６を取得している場合、制御部２０は、ユーザ登録情報に関連した画像９２を表示する。例えば、ユーザＩＤが「ｘｘｘ−ｙｙ」と特定されて、ユーザ登録情報が「ロールケーキ」である場合、制御部２０は、表示面２４にロールケーキの複数の画像９２を表示する。複数の画像９２の重心は、人物９０の顔の近傍となるように、複数の画像９２が表示面２４に配置される。尚、複数の画像９２の重心が、人物９０の視線の延長線上になるように配置してもよい。更に、ユーザ登録情報が、特定のロールケーキを指定している場合、当該ロールケーキの画像９４を大きく表示、または、ピン等の特定画像９６によって、認識可能に表示してもよい。この場合、特定したロールケーキ以外の画像９２は、表示装置１０が設置されているショッピングセンターで販売されている他のロールケーキの画像９２である。
【００２５】
一方、制御部２０は、移動速度が速度閾値以上の高速状態と判定すると（Ｓ１４：Ｎｏ）、画像９２を、図５に示すように高速表示する（Ｓ１８）。制御部２０は、高速表示において、低速表示において表示される画像９２の内容の少なくとも一部、例えば、上記特定の画像９２を表示する。尚、制御部２０は、低速表示において表示された全ての画像９２を、高速表示においても表示してよい。高速表示では、制御部２０は、画像９２を人物９０の移動方向に移動させつつ表示させる。更に、制御部２０は、高速表示では表示面２４における人物９０に対する複数の画像９２の位置を、低速表示での表示面２４における人物９０に対する複数の画像９２の位置に比べて、人物９０の移動方向の前方に偏らせて、画像表示部１６の表示面２４に画像９２を表示させる。図面を前方に偏らせて表示する態様の一例は、低速表示より高速表示での複数の画像９２の重心を前方に偏らせることである。尚、人物９０の移動方向（視線）が表示面２４に向けられている場合、複数の画像９２の重心を人物９０の移動方向（視線）の延長線上に配置してもよい。更に、制御部２０は、高速状態においては、低速状態よりも画像９２を表示面２４の上方に配置してもよい。尚、人物９０が、特定のロールケーキをユーザ情報に登録している場合、高速表示においても、当該ロールケーキの画像９４を認識可能に、大きくまたは特定画像９６とともに表示することが好ましい。
【００２６】
この後、ステップＳ１０に戻って処理が繰り返される。尚、人物９０が、低速状態から高速状態になった場合、及び、高速状態から低速状態になった場合、制御部２０は、表示を低速表示から高速表示、または、高速表示から低速表示へと切り替える。
【００２７】
上述したように、表示装置１０では、制御部２０が、人物９０の速度に対応させて画像９２を表示する。特に、人物９０が、停止を含む低速の場合、制御部２０は、複数の画像９２の中心が顔の近傍となるように表示するので、人物９０は画像９２を落ち着いて見ることができる。更には、低速で移動している人物９０を停止させる可能性を高めることができるので、表示装置１０を設置するショッピングセンター等は宣伝効果を向上させることができる。
【００２８】
また、表示装置１０では、人物９０が高速で移動している場合、制御部２０は、複数の画像９２を人物９０の移動方向の前方に偏らせる。これにより、人物９０は、例えば、高速で移動しながら画像９２を容易に見ることができる。
【００２９】
図６は、一部が変更された表示処理のフローチャートである。図７は、遠方低速表示を説明する図である。図８は、遠方高速表示を説明する図である。この表示処理では、制御部２０が、後述する法線距離に対応付けて画像の表示を制御する。
【００３０】
図６に示すように、この表示処理においては、移動検知部１４は、人物９０が存在すると判定すると（Ｓ１０）、人物９０の法線距離を検出する（Ｓ２２）。法線距離とは、表示面２４の法線方向における表示面２４と人物９０との間の距離のことである。ここで、移動検知部１４が、撮像部１２から取得する画像情報には位相差情報が含まれている。移動検知部１４は、位相差オートフォーカスにおける距離検出と同様の方法により、位相差情報から人物９０の法線距離を検出する。移動検知部１４は、移動方向及び移動速度を検出して、移動方向、移動速度及び法線距離を含む人物情報を出力する（Ｓ１２）。
【００３１】
次に、制御部２０は、移動検知部１４から取得した人物情報に含まれる法線距離が、記憶部２２の閾値テーブル２８に含まれる距離閾値未満か否かを判定する（Ｓ２４）。その後、制御部２０は、移動速度が速度閾値未満か否かを判定する（Ｓ２６、Ｓ２８）。
【００３２】
制御部２０は、法線距離が距離閾値未満であると判定するとともに（Ｓ２４：Ｙｅｓ）、移動速度が速度閾値未満であると判定すると（Ｓ２６：Ｙｅｓ）、画像９２を近接低速表示する（Ｓ２８）。尚、近接低速表示とは、上述した図１に示す低速表示と同様である。
【００３３】
制御部２０は、法線距離が距離閾値未満であると判定するとともに（Ｓ２４：Ｙｅｓ）、移動速度が速度閾値以上と判定すると（Ｓ２６：Ｎｏ）、画像９２を近接高速表示する（Ｓ３０）。尚、近接高速表示とは、上述した図５に示す高速表示と同様である。
【００３４】
制御部２０は、法線距離が距離閾値以上と判定するとともに（Ｓ２４：Ｎｏ）、移動速度が速度閾値未満であると判定すると（Ｓ３２：Ｙｅｓ）、図７に示すように、画像９２を遠方低速表示する（Ｓ３４）。遠方低速表示では、近接低速表示及び近接高速表示に比べて、画像９２を表示面２４の上部に表示する。これにより、遠方の人物９０は、表示面２４の近傍の人物９０に遮られることなく、画像９２を見ることができる。遠方低速表示では、画像９２の中心が、人物９０の顔の中心の上方の近傍となるように、表示面２４の上部に画像９２を表示する。
【００３５】
制御部２０は、法線距離が距離閾値以上と判定するとともに（Ｓ２４：Ｎｏ）、移動速度が速度閾値以上と判定すると（Ｓ３２：Ｎｏ）、図８に示すように、画像９２を遠方高速表示する（Ｓ３６）。遠方高速表示では、近接低速表示及び近接高速表示に比べて、画像９２を表示面２４の上部に表示する。また、遠方高速表示では、遠方低速表示に比べて、人物９０の移動方向の前方に画像９２を偏らせて、表示する。これにより、遠方の人物９０は、表示面２４の近傍の人物９０に遮られることなく、移動中に画像９２を見ることができる。尚、制御部２０は、法線距離が距離閾値以上と判定した場合、当該人物９０に対応する画像９２を消去してもよい。
【００３６】
上述の実施形態では、距離閾値が１個の例を示したが、距離閾値を複数設定してもよい。この場合、制御部２０は、法線距離が大きくなるにつれて、画像を徐々に上方に表示するように構成してもよい。また、制御部２０は、法線距離が大きくなるにつれて、画像を徐々に小さくするように表示してもよく、法線距離が最も大きい距離閾値以上の場合、画像を消去するように構成してもよい。
【００３７】
図９は、一部が変更された表示処理のフローチャートである。
【００３８】
図９に示すように、この表示処理においては、ステップＳ１４において、制御部２０は、移動速度が速度閾値以上と判定すると（Ｓ１４：Ｎｏ）、移動速度が、記憶部２２の閾値テーブル２８に含まれる高速度閾値未満か否かを判定する（Ｓ４０）。尚、高速度閾値は、速度閾値よりも大きい。高速度閾値の一例は、時速４ｋｍ以上である。制御部２０は、移動速度が高速度閾値未満であると判定すると（Ｓ４０：Ｙｅｓ）、画像９２を高速表示する（Ｓ１８）。一方、制御部２０は、移動速度が高速度閾値以上と判定すると（Ｓ４０：Ｎｏ）、画像９２を高高速表示する（Ｓ４２）。高高速表示では、高速表示に比べて、画像９２を小さく表示するか、または、画像９２を消去する。これにより、表示装置１０は、速く移動して、画像９２を見る可能性の少ない人物９０に対する表示面２４の利用率を低減できる。この結果、表示装置１０は、画像９２を見る可能性の高い人物９０に対して表示面２４を有効に活用できる。
【００３９】
図１０は、一部が変更された表示処理のフローチャートである。
【００４０】
図１０に示すように、この表示処理では、制御部２０は、高速表示した後（Ｓ１８）、高速表示が継続している時間が、記憶部２２の閾値テーブル２８に含まれる時間閾値以上か否かを判定する（Ｓ４４）。時間閾値の一例は、数十秒である。制御部２０は、高速表示が時間閾値以上継続していないと判定すると（Ｓ４４：Ｎｏ）、ステップＳ１０以降の処理を繰り返す。制御部２０は、高速表示が時間閾値以上継続していると判定すると、画像９２を高速表示から長時間表示に切り替える（Ｓ４６）。長時間表示では、高速表示に比べて、画像９２を小さく表示するか、または、画像９２を消去する。これにより、表示装置１０は、移動している時間が長く、画像９２を見る可能性の少ない人物９０に対する表示面２４の利用率を低減できる。この結果、表示装置１０は、画像９２を見る可能性の高い人物９０に対して表示面２４を有効に活用できる。
【００４１】
図１１は、一部が変更された表示処理のフローチャートである。図１２は、複数の人物９０に対する画像の表示を説明する図である。図１３及び図１４は、低速優先表示を説明する図である。この表示処理は、複数の人物９０が、表示面２４の表示側に存在する場合に有効である。
【００４２】
図１１に示すように、この表示処理では、まず、移動検知部１４が、人物９０が存在しているか否かを判定する（Ｓ５０）。移動検知部１４は、人物９０が存在していると判定すると（Ｓ５０：Ｙｅｓ）、法線距離、移動方向及び移動速度を検出して、制御部２０に出力する（Ｓ５２、Ｓ５４）。尚、複数の人物９０を検出した場合、移動検知部１４は、全ての人物９０の法線距離、移動方向及び移動速度を検出する。
【００４３】
次に、制御部２０は、何れかの人物９０の移動速度が速度閾値未満か否かを判定する（Ｓ５６）。制御部２０は、全ての人物９０の移動速度が速度閾値以上であると判定すると（Ｓ５６：Ｎｏ）、全ての人物９０に対する画像９２を高速表示する（Ｓ５８）。
【００４４】
制御部２０は、何れかの人物９０の移動速度が速度閾値未満と判定すると（Ｓ５６：Ｙｅｓ）、全ての人物９０の移動速度が、速度閾値未満か否かを判定する（Ｓ６０）。制御部２０は、全ての人物９０の移動速度が、速度閾値未満であると判定すると（Ｓ６０：Ｙｅｓ）、全ての人物９０に対する画像９２を低速表示する（Ｓ６２）。
【００４５】
制御部２０は、複数の人物９０の移動速度が速度閾値未満と速度閾値以上の値を含むと判定すると（Ｓ６０：Ｎｏ）、低速状態の人物９０の画像９２の表示領域と、高速状態の人物９１に対する画像９３の表示領域とが重複するか否かを判定する（Ｓ６４）。制御部２０は、表示領域が重複しないと判定すると（Ｓ６４：Ｎｏ）、全ての人物９０の画像９２を、図１２に示すように混在表示する（Ｓ６８）。混在表示では、全ての人物９０、９１の画像９２、９３を移動速度に合わせて、異なる領域に低速表示及び高速表示する。即ち、制御部２０は、高速状態の人物９１の画像９３は、高速表示するとともに、低速状態の人物９０の画像９２は、低速表示する。
【００４６】
制御部２０は、表示領域が重複すると判定すると（Ｓ６４：Ｙｅｓ）、図１３、または、図１４に示すように、画像９２、９３を低速優先表示する（Ｓ６６）。図１３に示す低速優先表示では、高速状態の人物９１の画像９３が、低速状態の人物９０の画像９２の上方に配置されて、表示面２４に表示される。即ち、高速表示の画像９３は、低速表示の画像９２を乗り越えるように表示される。図１４に示す低速優先表示では、低速状態の人物９０の画像９２が、高速状態の人物９１の画像９３の上に重ねて表示される。これにより、画像９２を見る可能性の高い、低速状態の人物９０の画像を優先的に表示することができる。
【００４７】
尚、ステップＳ６２、Ｓ６６、Ｓ６８、及び、Ｓ５８において、低速表示どうし、及び、高速表示どうしの表示領域が重複した場合、法線距離の小さい人物９０、９１に対する画像を優先的に表示してもよい。優先的に表示する方法は、図１３及び図１４と同様である。
【００４８】
移動検知部１４が人物９０の指示を判定するとともに、制御部２０が当該指示に基づいて画像を表示するように表示装置１０を構成してもよい。図１５は、低速表示の画像９２を見ている人物９０の指示を説明する図である。図１６は、人物９０の指示により変更された画像９２の表示を説明する図である。図１７は、人物９０の他の指示により変更された画像９２の表示を説明する図である。
【００４９】
図１５に示すように、例えば、低速表示の画像９２を見ている人物９０が、特定の画像９２を覆うように手９５を表示面２４に重ねると、移動検知部１４は、撮像部１２から取得した画像９２に基づいて、人物９０の動作を画像指定の指示と判定する。尚、手９５は、表示面２４に接触していなくてもよい。移動検知部１４は、指定された画像情報とともに、画像指定の指示を制御部２０へと出力する。
【００５０】
図１６に示すように、制御部２０は、指定された画像９２を拡大するとともに、画像９２の商品の情報を表示する。商品の情報とは、例えば、商品名、価格、店舗名、店舗の場所等である。また、制御部２０は、人物９０が指示を選択するための選択ボタン９７を表示する。この状態で人物９０が、選択ボタン９７の何れかに手９５を重ねると、移動検知部１４は、当該選択ボタン９７に該当する指示を制御部２０へと出力する。ここでは、人物９０がナビを選択したとする。
【００５１】
図１７に示すように、制御部２０は、ナビの指示を取得すると、表示面２４に選択した商品の店舗の場所を示すフロアマップを表示する。制御部２０は、当該店舗の場所を例えば星マーク等によって表示する。更に、当該店舗までに複数の表示装置１０が配置されている場合、それらの表示装置１０の前を通過する人物９０に対して、道案内、例えば、「１００ｍ先右折」等の文字メッセージを流してもよい。
【００５２】
上述の実施形態では、高速表示において、低速表示に比べて画像の重心を前方に偏らせる態様を示したが、高速表示での態様は、低速表示と異なる態様であればよく、適宜変更してよい。図１８に高速表示の異なる態様を示す。図１８に示すように、制御部２０は、図１の低速表示に比べて、高速表示では、各画像を小さく表示してもよい。換言すれば、制御部２０は、高速表示に比べて、低速表示での画像を大きく表示する。これにより、人物９０は、低速表示では大きい画像を見ることができるので、画像を見やすくなる。一方、高速表示では、他の人物、例えば、低速状態の人物へ表示される画像の妨げとなることを低減できる。
【００５３】
上述の実施形態では、携帯端末３０を所持する人物９０に対して画像を表示する例を示したが、携帯端末を所持しないユーザに対して表示装置が画像を表示するように構成してもよい。例えば、ショッピングモールが推奨する商品等の画像を、表示面の表示側にいる人物に向けて高速表示及び低速表示してもよい。
【００５４】
上述した実施形態の各構成の機能、形状、配置、個数等は適宜変更してよい。また、各実施形態を組み合わせてもよい。
【００５５】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００５６】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００５７】
１０  表示装置
１２  撮像部
１４  移動検知部
１６  画像表示部
１８  通信部
２０  制御部
２２  記憶部
２４  表示面
２６  ユーザテーブル
２８  閾値テーブル
３０  携帯端末
３２  通信部
３４  記憶部
３６  ユーザ情報
９０  人物
９１  人物
９２  画像
９３  画像
９４  画像
９５  手
９６  特定画像
９７  選択ボタン
【図１】
0005635559.tif 000002
【図２】
0005635559.tif 000003
【図３】
0005635559.tif 000004
【図４】
0005635559.tif 000005
【図５】
0005635559.tif 000006
【図６】
0005635559.tif 000007
【図７】
0005635559.tif 000008
【図８】
0005635559.tif 000009
【図９】
0005635559.tif 000010
【図１０】
0005635559.tif 000011
【図１１】
0005635559.tif 000012
【図１２】
0005635559.tif 000013
【図１３】
0005635559.tif 000014
【図１４】
0005635559.tif 000015
【図１５】
0005635559.tif 000016
【図１６】
0005635559.tif 000017
【図１７】
0005635559.tif 000018
【図１８】
0005635559.tif 000019